(57)【要約】      （修正有）【課題】一度ネジを固定すると外れにくいフリーレールボルトを提供すること。【解決手段】部材Ｌ１の左によりネジ部を貫通してネジ部を突出した状態でＬ１部材とＬ２による部材ネジ接合する為の調整するネジにおいて、前記第１（Ｌ１左寄り）の部材が形成され軸部に設けたことを特徴とするフリーレールボルト。【選択図】図１
2019148332.tif 000002
【特許請求の範囲】
【請求項１】
ボルトに楕円形穴を一つ穴、第一段に正三角形三個、第二段に正四角形を設けた。
ボルト頭部にθ＝１２°〜１８°を２ヶ所に施したフリーレール型ボルトである。
【請求項２】
Ａ、正三角形２ヶ所にθ＝１２°を設けるのはボルトを左にネジを切る為に設けた。これは、θ＝１２〜１８°をなすものである。
【請求項３】
Ｂの位置からナットを挿入、Ｃの位置からナットを挿入、それぞれに２ヶ所に部材をもうけるのである。
【請求項４】
３、楕円形穴をあけることは、弾性素材によりベクトル的にボルトを保持する為に用いるのである。
【請求項５】
Ｄ´、Ｅは円筒形のナットを挿入、予めナットを挿入、Ｂ，Ｃは後で作り装備するのである。
【請求項６】
Ｌ１、クランク角３７°を有し２段階能力を用い、Ｌ２、クランク角２６°〜３７°を有し３段階の山をもちごくわずかな普通状態のボルトに比較すると歯車のような噛み合わせを行うものである。
【請求項７】
部材をそれぞれに２箇所をもうけるのである。１〜２個を固定してボルトに対して緩みを軽減するものである。
【請求項８】
ボルトのガタがある場合、ナットには特殊強化ゴムを装備するものである。
ボルト軸のネジ山とナットを挿入、その時の遊びは２，５ｍｍ〜３ｍｍである。
【請求項９】
増し締めの予防に、ボルト軸の頭部、Ｂ、Ｃを強く用い、これにより、比較的楽に軽減することができる。
【請求項１０】
Ｆ、正三角形９、１２、１５の方向に設けたのは物理学的にバランスと安定的に行い、ボルトの欠陥である増し締めを軽減する為に用いるのである。
【請求項１１】
Ｌ１に楕円形穴を設け、弾性素材を用いるのである。これにより強度の荷重に耐え、より、高度の耐久性が約束されるのである。
【請求項１２】
１，２にθ＝１２°〜１８°の傾斜角度を持たせ、工具の円滑な手作業を行うものである。
フリーレールという特性を生かして、行い、各種工業部門に対し充分な弾性素材耐久力が約束される。
【請求項１３】
Ｆ、正三角形は、増し締めを防止促すためにあるもので、ボルト軸のネジ山を少しもいためない為のものである。
【請求項１４】
Ｇ、ボルト軸に正四角形を設けたのはナットは落下防止の為に用いるのである。
本発明によれば、ボルト軸、ナットはそれぞれステンレス鋼からなり、ほとんどがダイアモンドのような硬さである。
【請求項１５】
ボルト軸、ネジ山は、頂部が台形ネジを持ち３７°の３段ネジ山を維持されるのである。
これにより、他のボルト軸とは全く異なり、優れたボルトである。
【請求項１６】
上記のように優れたボルトは、歯車のようなかみ合わせを持ち、ボルト自体に於ける、らせん状の動きにボルト軸の傾き存在がしないのである。
【請求項１７】
製造工程に於いては、最初に、ネジの山、ナットを挿入、それからボルト軸に、正三角形、正四角形を設けたフリーレールボルトである。
逆は必ずしも真ならず。というふうに確実に行えるのである。
【請求項１８】
電気・電子機器接点、に於いて使用する場合、ＳＩＣ半導体素材を使用すると大変優れたボルトになります。
【請求項１９】
重要性がある絶縁性が図られる箇所に、ゲルマニウムメッキ素材を使用して行う事が必要になります。
【請求項２０】
本発明フリーレールボルトは、小型、軽量、安価、錆がなく、腐蝕することがないので、近代的なボルトである。
【請求項２１】
フリーレールボルトに、正三角形の傾斜角度、正三角形の形をした３つの辺、正四角形を設けたことにより、空気圧、水流の流れを受けて調整をする為に用いるのである。
【請求項２２】
クランク角３７°の傾斜角度によりベクトル的に歯切れのよいきれあじを示し、決してゴミ、金属片などの鉄粉などが付着しないのである。
【請求項２３】
ボルト軸に２つの部材を設けたことにより、決してらせん状の動き、傾きが存在しないのである。
これにより、ボルト軸の折れ曲がり、落下することがないのである。
【請求項２４】
ボルトの軸に正四角形を設けたのは、物理学的にいうバランスを取る為に用いるのである。
Ｌ１の領域にクランク角３段ネジ、Ｌ２の領域に２段階ネジ、それぞれ特有の領域があるのである。
【請求項２５】
ネジの山には、特有の領域でズレやゆるみが生じる。本発明によればその様な事が全くありません。
【請求項２６】
又、プラス強化品、繊維強化ゴムなどを使用する事でより一層性能がますのである。主体的、補助的に使用する事で、ボルト本来の特性を生かしていくことが可能な範囲での応用が期待されるのである。
【請求項２７】
亜鉛メッキボルトに比べ、シリコン半導体素材の方が人体に良い、色々な不具合が無く優れたボルトになります。
亜鉛メッキボルトは、医学的にもあまり良くない事があり、必ずしもよくない。
時には強い皮膚病などがあり、危険である。
【請求項２８】
本発明フリーレールボルトは人体に良く、医学的な事で、限りなく良い影響を及ぼすのである。鉄を使用すると大変優れたボルトであり、その他の分野に於いて大変有効に使用されます。
【請求項２９】
超高電圧送電線、絶縁性が図られるところ、これらのことからゲルマニウムメッキ素材、ＳＩＣ半導体素材を使用すると、より一層高性能化がますのである。
【請求項３０】
３、楕円形穴を設けたのは、横１１ｍｍで止まり、ストッパーピンを差し込み、それぞれ特有の手作業を終えるのである。
このストッパーピンはボルトネジを使用、傾斜角度１７°〜２１°の角度を有する。
【請求項３１】
上述にいいのべた他に、ストッパーピンのほかにサシ金ボルトになります。
そうすることで、よりベクトル的にサシ金ボルトを挿入されるのである。
【請求項３２】
サシ金ボルトにクランク角３７°を持たせ、２段階ネジ山を作り備えるのです。
2019148332.tif 000005
り立つち、もう一つは、バランスという物理学的な要因により構成されるのである。
【請求項３３】
この本発明フリーレールボルトは、左へ回転をすることができる、左ネジです。
ボルト頭部に正三角形の形の上に１，２にθ＝１２°〜１８°である。
【発明の詳細な説明】
【産業上の利用分野】
【０００１】本発明の特性を生かし、ネジに関し、さらに詳しくは部材に予めナットを挿入するフリーレールボルトに関するものである。
【背景技術】
【０００２】  ボルトは、振動、動き、傾き、のある部分については、補足するもので使用されていたが、本発明のフリーレールボルトは緩まないのが特徴である。
【発明が解決しようとする課題】
【０００３】部材Ｌ１の左にネジを挿入する、Ｌ２の左へネジを挿入、予めナットを挿入、Ｄ´、Ｅ、後にＢ、Ｃのボルト装備し、一度ネジを固定すると外れにくいフリーレールボルトを提供することを課題とする。
【課題を解決する為の手段】
【０００４】部材Ｌ１の左によりネジ部を貫通してネジ部を突出した状態でＬ１部材とＬ２による部材ネジ接合する為の調整するネジにおいて、前記第１（Ｌ１左寄り）の部材が形成され軸部に設けたことを特徴とするフリーレールボルトである。
【作用】
【０００５】  本発明によれば部材をうまく固定することで、容易に調整することができる。
振動、回転をする時には、半永久的にゆるみ、落下することがない。
【０００６】  実施例以下、本発明を図面に基づいて詳細に説明する。
［図１］は、本発明のフリーレールボルトの実施例を示す図である。
Ａの近くに部材、Ｂの近くに部材、予めナットを挿入、後にＢ、Ｃのボルトを装備し、接続する。
［図２］
ボルト頭部に正三角形の形で１，２にはθ＝１２°〜１８°の傾斜を持つ素材で、フエライト磁石を使用し、工具を使用しやすくする為に用いるのである。
［図３］
ボルト軸のＦに正三角形の形をした９、１２、１５の時計の針の位置を設けた。
ネジをいためない為に用いるのである。
［図４］
ボルト軸に正四角形のボルトを設けた。増し締めを防止する為に用いるのである。
Ｇ、フリーレールという機能を兼ね備えたボルトである。
【０００７】  ボルト軸に３のフリーレールという穴を設けたことにより、耐久性が約束されるのである。
又、金属疲労にも耐久性があるのである。錆、腐食性が無いことを約束されるのである。
【発明の効果】
【０００８】以上のように、本発明によればネジの軸部の周囲に挟持部を設けた為用意にネジを部材のネジなしのところにセットし、外れにくいという効果をえる事ができる。
【０００９】ボルト３段ネジは、ステンレス鋼を使用、錆、腐食性超高・低温域に於いて大変優れたボルトであり、金属疲労にも耐久性があるのである。
【００１０】Ｌ１のθ＝２４°〜２８°であり、Ｌ２のθ＝２７°〜３４°のクランク角をようし山の頂部は小さい台形をなすものである。
これに伴う、ゆるみ、ガタがないのである。
【００１１】フリーレールボルトは、耐荷重に対して、ベクトル的に非常に優れ、大変有効に使用されるのである。
【００１２】
2019148332.tif 000003
ライト磁石を使用することで、利便性向上につながるのである。
【００１３】耐震補強工事にも、この本発明フリーレールボルトが使用されるのである。
橋げた、鉄橋、高層ビル工事現場、各種工業部門に利用分野が広がってくるのである。
【００１４】現時点では楕円形穴を設けたのは、一つであるがあと二つ設けることでフリーレールボルトは、強力に維持されるのである。
【００１５】Ｌ１にブルー、Ｌ２にブラックホールを設けたのは、前者をクランク角３段ネジ、後者を２段階ネジに変えた。これは、ボルトネジに於ける特性を生かすためである。
【００１６】高電圧直流送電東日本の送電線に使用する時はＳＩＣ半導体素材を使用するとよい、海底ケーブルを用いた高電圧直流送電線にはステンレス鋼を使用するのである。
【００１７】ボルトネジには、使用するところによりカットするとよいのである。
或いは、水中に於いて大変有効に使用するには…水流の調整が必要になってくるのである。
【００１８】揚力的に使用するにはボルトネジに微量のカットが必要になるのである。
高気圧、高圧ガスなどにも、この本発明のフリーレールボルトは、大変有効に使用されるのである。
【００１９】ゴンドラリフトやケーブルカーにも強い強風に耐え、より強度の荷重に耐え抜くには楕円形穴を最大限に活用、弾性素材による働きが応用されるのである。
【００２０】傾斜角度によるボルトの軸に掛かる荷重が斜めに移動する用ではいけない。
物理的な応用がなされ、安全性が高いとは言えない、自然的にボルトの落下することがあるのである。
【００２１】航空機の墜落事故が起きた事故は必要以上の荷重が局部的に荷重がかかり事故に至った経緯である。
金属疲労にも耐久性があるのである。物理学的にバランスが崩れる原因があったのではないか。
【００２２】ボルトネジにも、金属疲労、慣性の法則、バランス、滑り、ガタ、落下、物理学的に自然の法則が成り立つのである。
使用箇所によりベクトル的にボルトネジにも、事故が起きるので、細心の注意を要するのである。
【００２３】遊園地に於ける人の事故。ボルトに対する開発がなされなければならないのである。ボルトの折れ、切断、落下することがあるのである。
【００２４】本発明フリーレールボルト、そのようなことは、決して実在しないのである。上記のようにボルトの不具合により痛ましい事故はあり得ないのである。
【００２５】部材を設け、ボルトを使用、この時らせん状の動きが生じる。これにより、緩み、ガタが発生した。これにより、ネジのゆるみ、が生じるのである。
【００２６】ボルト頭部にＶ字型の溝を設けたのは、空気圧、水流の流れを良くする為に用いるのである。深い海底に於ける、深海の地下資源開発に大変有効に使用されるのである。
【００２７】又、深海は、高い気圧にはこうしたｖ字型溝が必要不可欠であり、海底探査機の操縦管が身軽になりうるのであります。
【００２８】しかるに、こうした一連のボルト、３ヶ所のボルトにｖ字型溝を設ける事は、大いに期待されるのである。
【００２９】ボルト頭部には９、１２、１５の方向、Ｂの正三角形の形３ヶ所に、Ｃ、正四角形には７、１１、１３、１７、の時計の針の方向に、Ｖ字型溝をそれぞれ特有の幾何学的な図形をもうけるのである。
【００３０】本発明フリーレールボルトは、海底ケーブルを用いた高電圧直流送電、海底探査機、航空機の揚力的思考によりベクトル的にボルトをもうけるのである。
【００３１】素材を使用するには、ゲルマニウムメッキ素材、を使用すると大変有効に使用されるのである。
【００３２】必要に応じて、ステンレス鋼ＳＵＳ３０４を使用すると大変有効である。
超高温、超低温ダイアモンド素材に匹敵するのである。
【００３３】又、半導体素材を使用すると大変有効に使用されるのである。ＳＩＣ半導体をフリーレールボルトに使用すること大切である。
【００３４】上記のように、海底ケーブルを用いた高電圧直流送電、国際電話回線に使用することで大変有効に使用されるのである。
【００３５】原子力発電所１〜２、原子力施設にも、この本発明のフリーレールボルトを使用すると大変有効に使用されるのである。
【００３６】ＳＩＣ半導体素材を使用するとボルトに使用すると高電圧直流送電、原子力施設への使用は大変有効に使用されるのである。
【００３７】この本発明のフリーレールボルト、多種多様な所に使用されるのである。
【００３８】非常に優れ、有効に使用されるのである。フリーレールボルト、荷重が多く使用するとゲルマニウムメッキ素材が大変有効に使用されるのである。
【００３９】物理学的に言うと寄生振動的な事で、多くの建物が倒壊すると大変な事態である。
このようなことにステンレス鋼ＳＵＳ３０４を使用するのである。
【００４０】ｖ字型溝のようなクランク角３段ネジ、滑り、緩み、がない本発明のフリーレールボルトを提供する、
【００４１】以上の荷重が多く，また、必要に多い場合、このフリーレールボルトを使用するのである。
【００４２】ネジの緩みにくさは、ボルトのなが関係しています。
「ボルトの長さ」とは、ボルト頭の座面から、メネジ入口までの長さです。
【００４３】ボルトは非常に強いバネで、長ければばね定数が小さくなる。
ボルトの折れも、これにより、強く関係してくる。
【００４４】軸回転の自由度が解放されるので、簗要素はトルクに対する抵抗を持ちません。
ボルトの回転をするは物理的なモデルと整合性があります。
【００４５】適用された与圧（締付力）は、接続している部品間の滑りに抵抗するために必要な摩擦力を提供します。
【００４６】ボルトシャンクを表す簗要素は引張り抵抗のみである。与圧荷重を減少させるボルトについて「緩める」という結果をもたらすことがあるのである。
【００４７】ボルト、スクリュウ、スタッドは、ネジ山をもったボルト、ナットにより円筒や円錐全般を持ち本発明のフリーレールボルトを使用するのである。
【００４８】望ましくない特質や欠陥を見いだすことができる場合は発明状況がある。
本発明のフリーレールボルトを考案したのである。
【００４９】ボルトには、「おネジ」と「メネジ」があり、多くは、おネジとメネジの組み合わせで使用される。
【００５０】後者がなく木材や薄い金属などの部材に穴を開けながら締結するものもあり、木ネジと呼ばれる。
【００５１】ぜんまいネジとつる巻線があり、ネジは、あらゆる用途で大量に使用すると大変有効に使用されるのである。
【００５２】その多くのボルトやナット、木ねじなどによる締結である。又、ねじは各種の機械の運動や位置決めなどでも欠かせないものとなっている。
【００５３】「産業の塩」とも呼ばれることもある。ねじメーカーは０，６ミリメートルというねじも開発されている。
【００５４】ボルトには一般にナットと組んで使われるおねじの部品の総称、ナットはめねじ部品の総称であり本発明のフリーレールボルトに使用されるのである。
【００５５】エウスタシウスはアルキメデスが発明、水を効率的に排水することに揚力を使用した、現代でもネジ式コンベアーとして使われている。
【００５６】ジエーシー・ラステンは精密機器の精度を上げるためにネジが使用された。そして、火縄銃にも使用されたのである。
【００５７】Ｌ＝πｄｔａｎβの関係がある。位置決めマイクロメーターなどにおける微細寸法の拡大にねじが使われる。
【００５８】ねじを締めることは、重力を除けば斜面に乗っている物体を坂の上へ押し上げることに等しいと考えられる。
【００５９】ねじを締めた時の効率を、締めるのに要した力とねじが行った仕事との比率で表して「ねじの効率」と呼ぶ。
【００６０】ねじを緩めることは、重力を除けば斜面に乗っている物体を坂のしたへと押し下げることに等しいと考えられる。
【００６１】三角ねじをネジ山に沿って回転させるには角ねじの１、１６倍ほどの力が必要であり、三角ねじが締結に適していて、角ねじが運動に適することが分かる。
【００６２】上記のように、必ずしも、ボルト軸は円筒形とは限らず、角型ボルトもあり得るのである。本発明のフリーレールボルト。
【００６３】Ｌ１のナットは１〜２ｍｍの空き筋がり、中央に楕円形穴をもうけるのである。
最初にネジの山をもうけるのである。
【００６４】これにより、ナットを使用し挿入するのである。
最後になりましたが、ボルト軸にＢ，３対の三角形を設ける、それから、Ｃに四角ボルトを使用するのである。
【００６５】Ｌ１、Ｌ２ネジの山には、高温度の極小の半田コテにより、鉄粉除去することが、大切である。これにより、クランク角３段ネジ、クランク角２段ネジ、によりベクトル的にボルトを維持されるのである。
【００６６】ナットは強化ゴムを使用するのである。ナットの間にはさみこむように、同時に挿入するのである。
【００６７】ボルト軸によるばね定数を向上の為に用いるのである。傾斜角度に重力を除けば斜面に乗っている物体の、上りによるボルトの締まりに有効である。
【００６８】又、傾斜角度に重力を除けば斜面に乗っている物体は下りになり緩むのである。
ばね定数は、ベクトル的にボルトの性能に大変有効に使用されるのである。
【００６９】
2019148332.tif 000004
ステンレスには、僅かに及ばないが性能がよりてきめんである。
【００７０】物理学的に言うと揚力的に有効に使用されるのである。ステンレスに近い、耐久性があるのである。そのうえ、軽量、小型化が図れるのである。
【００７１】ワッシャー、スプリングワッシャは、面圧に負けて座面が陥没すると、緩みの原因になったりするから、ネジの座面と被締結物が小さいのである。
【００７２】アルミや樹脂などの素材には、平座金を使用するのである。
平座金は、バリ側を下に、メッキの剥がれなどを避けるため、丸側を下にするのである。
【００７３】ボルトの許容最大軸力は弾性力による摩擦で、ねじが簡単に脱落することを防止する。
【００７４】又、食い込みによる止め効果は、被締結物が座金より柔らかい材質にかぎる。
座面の傷を防ぐために効果あるのである。
【００７５】ＳＩＣは、超高耐圧、高電圧、電力変換変換設備の大幅な小型化と低損失化低コスト化可能である。
【００７６】２００００ボルトの耐圧の設備システム、配電系統、電力変換システムでは、半導体素材を使用すると大変有効に使用されるのである。
【００７７】ＳＩＣはｓＩより絶縁破壊や熱に強いという特徴を有効に使用されるのである。２００００ボルト以上の耐圧を示すＰＩＮダイオードができ広範囲に期待されるのである。
【００７８】高性能パワーデバイスは、エレクトロニクス部門において、半導体素材を使用すると大変有効に使用されるのである。
【００７９】交流→直竜変換、直流→交流変換、周波数変換、電圧変換など、電気信号を変換する電力変換という。
【００８０】上記のように、半導体素材を使用すると大変有効に使用されるのである。
本発明のフリーレールボルトに使用されるのである。
【００８１】海底ケーブルを用いた高電圧直流送電、半導体素材を使用すると大変有効に使用できる。ＳＩＣ半導体素材を使用すると超高電圧直流送電、ＳＩも併用して使用するとよいのである。
【００８２】海底ケーブルを使用すると大変有効に使用できる。遠距離電話回線はフリーレールボルトに使用されるのである。
【００８３】海底ケーブルを使用すると大変有効に使用され、絶縁破壊や熱に強い素材を使用すると大変有効に使用されるのである。
【００８４】重要箇所には、絶縁破壊に強い絶縁油を使用すると大変有効に使用されるのである。超低温域に於いてより効果的である。
【００８５】又、ボルト頭部近くに部材、中に、楕円形穴、僅か下に小楕円形穴その右側に極小、円形の穴をあける、小さい正三角形の形にある仮想的な位置を占める。
【００８６】Ａ´、Ｂ´、Ｃ´にある楕円形穴２つと小さい円形の穴をあける、計３つの穴をあける。
【００８７】これは、応用数学的な意味での、ベクトル的にボルトをなすのである。
数学的、物理学的に言うと、大変有効に使用されるのである。
【００８８】負荷価値のある構造的な工夫をなすものである。最終的に必要な荷重に耐えられな位置で充分に耐え抜くのである。
【００８９】ボルトには、重力を除けば斜面に乗っている物体を上げます。又、下げた位置での締まり、緩みの原因が取り除くことになるのである。
【００９０】ボルトには、重力、慣性の法則、ばね定数、締まり、緩みの原因、その他の分野に於いて大変有効に使用するにはフリーレールボルトが使用されるのである。
【００９１】らせん状の動きによるボルトの緩み、落下することがあるのである。
ボルトに使用される楕円形穴、丸型穴は、弾性素材によるものである。
【００９２】ボルトの頭部に正三角形の形、Ｂ、Ｃ、はそれぞれ特有の塑性域を示すのである。
弾性素材、塑性域を示すことにより、ボルト本来の特性を生かして行くのである。
【００９３】より絶縁破壊や熱に強い送電線プラスボルト本来の特性を生かして、より良いに繋げるのである。
【００９４】Ｌ１領域のＡ´（中楕円形穴）Ｂ´（小楕円形）Ｃ´（小円形穴）はそれぞれ特有の働きを示し、数学的、物理学的に優れたボルトであり、多数の方向に、ベクトル的に優れたボルトであり、機能としての役割が果たせるのである。
【００９５】ボルトの落下することがあり、ボルト用ＷＢ型、ナット用ＷＮ型を用いるのである。
ｔ１ｍｍ前後の板を折り曲げ、Ｍ３のネジ頭を押さえて、取り付けます。
【００９６】Ｍ３ねじを取り外す場合は、ｔ１ｍｍ前後の板を曲げて、取外します。ねじの自然に緩む力は、あまり大きくないので問題ありません。
【００９７】固定に使用するボルトは一本ではないと思いますので、０，５ｍｍ位の針金をすべてのボルトに回す。
【００９８】装置（機械）の動作に支障が無ければ受け皿を付加した超強磁石をネジ頭近傍に取り付けて、ネジが外れても磁力で受け皿に留めることが大切である。
【００９９】ネジを外さないいう条件でボルト頭へのクサビ、溶接等の処理することがかんようである。「メック加工」を用いるのである。
【０１００】ボルトの落下することがある場合は、水平方向、垂直方向によりベクトル的にボルトは一定速度による荷重を確認することで、この動摩擦が推定されるのである。
【符号の説明】
【０１０１】［図１］Ｈ＝４２ｍｍ
Ａ＝４２ｍｍ
Ｂ＝４０ｍｍ  （厚さ３，５ｍｍ）
Ｌ１＝４３ｍｍ  Φ＝１０ｍｍ
Ｌ２＝４６ｍｍ  Φ＝１０ｍｍ
３＝横  １１ｍｍ    縦  ４，５ｍｍ  （楕円形穴）
Ｄ´＝３８ｍｍ    厚さ７ｍｍ  （ナット）
Ｃ＝４０ｍｍ      厚さ３，５ｍｍ
Ｄ＝φ１０ｍｍ    ３９ｍｍ
Ｅ＝３８ｍｍ      厚さ１１ｍｍ  （ナット）
［図２］
１，２      θ＝１２°
［図３］Ｂ、Ｆ＝３，５ｍｍ（一辺の長さ３，５ｍｍ正三角形）
［図４］Ｇ＝２６ｍｍ      （一辺の長さ２６ｍｍ正四角形）
【図面の簡単な説明】
【図１】側面図
【図２】平面図
【図３】平面図
【図４】平面図
【図１】
2019148332.tif 000006
【図２】
2019148332.tif 000007
【図３】
2019148332.tif 000008
【図４】
2019148332.tif 000009